(57)【要約】【課題】表示画像を構成するアイコン画像・音声表示等の要素データを一括して容易に変更することができ、操作性の向上に寄与する。【解決手段】Ｗｅｂブラウザ９１はＨＴＴＰサーバ２０を介して供給されたアーカイブファイルをアーカイブファイル格納領域６３ｂに格納する。ユーザから変更が指示されると、書換制御部９６は、アーカイブファイル中の要素データ定義ファイルに応じて要素データを要素データ格納領域６３ａ内の対応する領域に展開する。要素データが書き換えられると、表示制御部９９は、更新された要素データを用いて表示画像の画像データを生成し、表示部６５に表示させる。【選択図】      図１
2005005901.tif 000002
【特許請求の範囲】
【請求項１】
携帯電話端末装置において表示要素として用いる複数の要素データが符号化されて構成されたアーカイブファイルを、携帯電話端末装置からの要求に応じて供給し、
携帯電話端末装置が受信したアーカイブファイルから各要素データを復元し、復元された要素データを保持する
ことを特徴とする情報提供方法。
【請求項２】
携帯電話端末装置において表示要素として用いる複数の要素データが符号化されて構成されたアーカイブファイルを保持する保持手段と、
携帯電話端末装置からの要求に応じて前記保持手段に保持されているアーカイブファイルを供給する供給手段を備えることを特徴とする情報提供サーバ装置。
【請求項３】
携帯電話端末装置において表示要素として用いる複数の要素データが符号化されて構成されたアーカイブファイルを保持する保持手段と、携帯電話端末装置からの要求に応じて保持手段に保持されているアーカイブファイルを供給する供給手段を有する情報提供サーバ装置と、
該情報提供サーバ装置から提供されるアーカイブファイルを受信する受信手段と、該受信手段が受信したアーカイブファイルから各要素データを復元する復元手段と、復元された各要素データを保持する要素データ保持手段とを有する携帯電話端末装置と
を備えることを特徴とする情報通信システム。
【請求項４】
複数の要素データが符号化されて構成されたアーカイブファイルを受信する受信手段と、
該受信手段が受信したアーカイブファイルから各要素データを復元する復元手段と、
復元された各要素データを保持する要素データ保持手段と、
該要素データ保持手段に保持された要素データを用いて表示を行う表示手段とを備えることを特徴とする携帯電話端末装置。
【請求項５】
携帯電話端末装置の制御を行う制御プログラムであって、
表示要素として用い得る複数の要素データが符号化されて構成されたアーカイブファイルから各要素データを復元するステップと、
該復元した各要素データを用いて表示を行うステップと
を有することを特徴とする制御プログラム。
【発明の詳細な説明】
【０００１】
【発明の属する技術分野】
本発明は、携帯電話端末装置の表示画像を構成するアイコン等のデータを容易に変更することができる情報提供方法、情報提供サーバ装置、情報通信システム、携帯電話端末装置及び制御プログラムに関する。
【０００２】
【従来の技術】
現在流通している携帯電話端末装置では、着信待機時の画像（壁紙）や着信音あるいは着信メロディ等のデータを無線通信網を介して接続されたサーバ装置から取得して、ユーザの好みに応じて変更できるようになっているものがある。
【０００３】
また、出荷時に２系統のアイコン等のデータを格納しておき、設定に応じてこれらの表示データを切り換えることができるようになっている携帯電話端末装置も知られている（例えば非特許文献１参照。）。
【０００４】
また、汎用のＯＳ（オペレーティングシステム）で実行されるｍｐ３（ＭＰＥＧ  Ｌａｙｅｒ  ３）プレーヤ等のアプリケーションでは、スキンと呼ばれるデータにより、ウィンドウ，ボタン等のＵＩ（ユーザインターフェース）画像を変更することができるようになっているものも知られている（例えば非特許文献２参照。）。
【０００５】
【非特許文献１】
Ｊ−フォン株式会社、「Ｊ−ＳＨ５３  取扱説明書  基本操作編」、Ｊ−フォン株式会社、２００３年５月、ｐ．１０−１６
【非特許文献２】
ｄｅｘ、「Ｗｉｎａｍｐ  −  スキン（デザイン変更）」、［ｏｎｌｉｎｅ］、ｄｅｘ、［平成１５年６月１０日検索］、インターネット＜ＵＲＬ：  ｈｔｔｐ：／／ｗｗｗ．ｃｄｗａｖｍｐ３．ｃｏｍ／ｗｉｎａｍｐ／ｗｉｎａｍｐ＿ｓｋｉｎ．ｈｔｍｌ＞
【０００６】
【発明が解決しようとする課題】
しかしながら、壁紙等のデータを変更することができる従来の携帯電話端末装置では、携帯電話端末装置の操作系全体をユーザの好みに応じた形態に変更するためには、壁紙，着信音等のデータを各々サーバ装置から取得し、設定の変更を各々行う必要があり、煩雑な操作を必要とする。
【０００７】
また、上述の非特許文献１に記載されている携帯電話端末装置では、アイコン等のデータは、ユーザが任意に書き換えることができないＲＯＭ等のメモリに格納されるようになっており、携帯電話端末装置の出荷後にユーザの好みに応じて書き換えることはできなかった。
【０００８】
上述の非特許文献２に記載されているスキンでは、アプリケーション側のＵＩのみの変更であるため、ＯＳ側のＵＩも含めて表示画面全体として統一感を持たせた状態に変更することはできなかった。
【０００９】
本発明は、上述のような課題に鑑みてなされたものであり、表示画像を構成するアイコン等のデータを容易に変更することができ、操作性の向上に寄与することができる情報提供方法、情報提供サーバ装置、情報通信システム、携帯電話端末装置及び制御プログラムを提供することを目的とする。
【００１０】
【課題を解決するための手段】
上述の問題を解決するために、本発明に係る情報提供方法は、携帯電話端末装置において表示要素として用いる複数の要素データが符号化されて構成されたアーカイブファイルを、携帯電話端末装置からの要求に応じて供給し、携帯電話端末装置が受信したアーカイブファイルから各要素データを復元し、復元された要素データを保持することを特徴とする。
【００１１】
要素データは、携帯電話端末装置の表示部に表示される画像表示，着信音・着信メロディ等の音声表示等の表示に用いられるデータであり、例えばアイコン等の画像データ，着信音・着信メロディ等の音声データ等に対応するものである。
【００１２】
また、本発明に係る情報提供サーバ装置は、携帯電話端末装置において表示要素として用いる複数の要素データが符号化されて構成されたアーカイブファイルを保持する保持手段と、携帯電話端末装置からの要求に応じて保持手段に保持されているアーカイブファイルを供給する供給手段を備えることを特徴とする。
【００１３】
また、本発明に係る情報通信システムは、携帯電話端末装置において表示要素として用いる複数の要素データが符号化されて構成されたアーカイブファイルを保持する保持手段と、携帯電話端末装置からの要求に応じて保持手段に保持されているアーカイブファイルを供給する供給手段を有する情報提供サーバ装置と、情報提供サーバ装置から提供されるアーカイブファイルを受信する受信手段と、受信手段が受信したアーカイブファイルから各要素データを復元する復元手段と、復元された各要素データを保持する要素データ保持手段とを有する携帯電話端末装置とを備えることを特徴とする。
【００１４】
また、本発明に係る携帯電話端末装置は、複数の要素データが符号化されて構成されたアーカイブファイルを受信する受信手段と、受信手段が受信したアーカイブファイルから各要素データを復元する復元手段と、復元された各要素データを保持する要素データ保持手段と、要素データ保持手段に保持された要素データを用いて表示を行う表示手段とを備えることを特徴とする。
【００１５】
また、本発明に係る制御プログラムは、携帯電話端末装置の制御を行う制御プログラムであって、表示要素として用い得る複数の要素データが符号化されて構成されたアーカイブファイルから各要素データを復元するステップと、復元した各要素データを用いて表示を行うステップとを有することを特徴とする。
【００１６】
【発明の実施の形態】
本発明は、例えば携帯電話端末装置に通話，データ通信等のサービスを提供する情報通信システムに適用することができる。
【００１７】
（構成）
この情報通信システムは、例えば図１に示すように、アイコン，壁紙等の画像データと着信音・着信メロディあるいは振動パターン等を示すデータ等の表示に用いられるデータ（以下、これらを単に要素データという。）のアーカイブファイル１１ａ，１１ｂ，…が格納されているＤＢ１０と、ＤＢ１０に格納されたアーカイブファイル１１ａ，１１ｂ，…等を提供するＨＴＴＰサーバ２０と、メールの送受信を行うメールサーバ３０と、ＨＴＴＰサーバ２０及びメールサーバ３０とインターネット等のネットワーク４０を介して接続された移動体通信網５０と、移動体通信網５０を介して音声通信，データ通信等のサービスを利用すると共にＨＴＴＰサーバ２０を介して提供される要素データのアーカイブファイルを取得する携帯電話端末装置６０とを備えている。
【００１８】
ＤＢ１０に格納されているアーカイブファイル１１ａ，１１ｂ，…は、壁紙，着信音（着信音及び着信メロディを含む。以下同じ。），メニュー画面，アイコン，メール関連，確認画面，カメラ動作画面，ダウンロード画面，電話発着信画面等を構成する要素データを符号化・圧縮して構成されている。これらのアーカイブファイル１１ａ，１１ｂ，…は、携帯電話端末装置６０側の表示能力に依存する部分も有するため、利用できる携帯電話端末装置６０の機種等がダウンロードディスクリプタ（アーカイブファイルの定義情報）１２ａ，１２ｂ，…として対応付けてＤＢ１０に格納されている。
【００１９】
移動体通信網５０は、基地局装置５１ａ，５１ｂ，…，５１ｎと、各基地局装置５１ａ〜５１ｎの間の伝送路の制御等を行う交換器５２と、移動体通信網５０とネットワーク４０との間のプロトコル変換等を行うゲートウェイ装置（ＧＷ）５３とを備えている。
【００２０】
また、携帯電話端末装置６０は、高周波信号の処理を行う高周波（ＲＦ：Ｒａｄｉｏ  Ｆｒｅｑｕｅｎｃｙ）部６１と、ＭＰＵ等から構成され携帯電話端末装置６０全体の制御を実行する制御部６２と、メモリ６３と、ユーザからの指示等を入力する操作入力部６４と、ユーザに対する画像の表示を行う表示部６５及びサブ表示部６５ａと、音声信号の符号化／復号化等の処理を実行する音声ＣＯＤＥＣ６６と、マイク（ＭＩＣ）６７と、スピーカ６８とを備えている。
【００２１】
制御部６２は、例えばメモリ６３に格納されている制御プログラムを実行することにより、ＨＴＴＰサービスを利用するＷｅｂブラウザ９１，メールサービスを利用するメールクライアント９２等のアプリケーション９０と、通信制御を実行する通信制御部９５と、メモリ６３内のデータの書き換えを制御する書換制御部９６と、表示部６５の制御等を行う表示制御部９９として機能する。
【００２２】
メモリ６３には、アイコン，壁紙等の要素データが格納される要素データ格納領域６３ａと、圧縮符号化された要素データのアーカイブファイルを複数格納し得るアーカイブファイル格納領域６３ｂとが設けられている。
【００２３】
メモリ６３の要素データ格納領域６３ａには、例えば図２に示すように、各管理層による描画処理に用いる要素データを格納するデバイス要素格納領域６３ａａ，ミドルウェア要素格納領域６３ａｂ及びアプリケーション要素格納領域６３ａｃが設けられている。デバイス要素格納領域６３ａａには、例えば表示画面の上部のバッテリ残量，電波強度等の機能表示に用いるバッテリ表示画像データ７１，電波強度表示画像データ７２と、音声ＣＯＤＥＣ６６による着信音，着信メロディの生成に用いる着信音データ７３等が格納され、ミドルウェア要素格納領域６３ａｂには、例えば表示画面の下部の選択ボタンの表示に用いる選択ボタン画像データ７５が格納され、アプリケーション要素格納領域６３ａｃには、例えば表示画面の中部の壁紙，メニューアイコンの表示に用いる壁紙データ７７，メニューアイコンデータ７８が格納される。
【００２４】
また、制御部６２によって実現されるソフトウェア環境の一部は、ＲＦ部６１，音声ＣＯＤＥＣ６６，電源部６９，通信制御部９５等の制御を行うデバイス管理層，選択メニュー等を表示する際のＵＩ（ユーザインタフェース）環境を提供するミドルウェア管理層，Ｗｅｂブラウザ９１，メールクライアント９２等のアプリケーションにＵＩ環境を提供するアプリケーション管理層に階層化されている。
【００２５】
表示制御部９９には、これらの管理層からの指示に応じて表示部６５に表示する表示画像の画像データを生成するデバイス描画処理部９９ａ，ミドルウェア描画処理部９９ｂ及びアプリケーション描画処理部９９ｃが設けられている。また、表示制御部９９には、デバイス描画処理部９９ａ〜アプリケーション描画処理部９９ｃによって生成された画像データの表示位置を保持する位置情報保持部９９ｄと、この位置情報保持部９９ｄに保持されている位置情報に応じてデバイス描画処理部９９ａ〜アプリケーション描画処理部９９ｃが生成した画像データを合成する合成部９９ｅと、合成部９９ｅによって合成された画像データを保持するフレームバッファ９９ｆと、フレームバッファ９９ｆに保持された画像データに応じて表示部６５の表示デバイスを駆動する駆動部９９ｇとを備えている。
【００２６】
上述のようにメモリ６３のアーカイブファイル格納領域６３ｂに格納されているアーカイブファイル１１ａ，１１ｂ，…は、例えば図３に示すようなディレクトリ構造を有するファイル群が統合され、圧縮されて構成されている。例えばアーカイブファイル１１ａのルートディレクトリ（最上位ディレクトリ）には、個々の要素データのファイル名等を定義する要素データ定義ファイル“ｋｉｐｐｙ．ｕｓｆ”と、各要素データをカテゴリ別に分類する“ｉｍａｇｅ”（壁紙），“ｉｃｏｎ”（アイコン），“ｒｉｎｇｔｏｎｅ”（着信音）等のディレクトリが属しており、下位のディレクトリには、各々対応する要素データが属している。
【００２７】
要素データ定義ファイルには、例えば図４に示すように、当該要素データ定義ファイルが属しているアーカイブファイル（Ｓｋｉｎ）についての情報を含む情報パート８１と、各カテゴリ別に、個々の要素データのファイル名等を定義する定義パート８２とが含まれている。
【００２８】
情報パート８１には、当該アーカイブの名前（＜ｎａｍｅ＞タグで囲まれた部分），当該アーカイブの提供者についての情報（＜ｖｅｎｄｏｒ＞タグで囲まれた部分），当該アーカイブファイルを用いることができる携帯電話端末装置６０の機種についての情報（＜ｍｏｄｅｌ＞タグで囲まれた部分）等が含まれている。この情報パート８１の内容は、上述のダウンロードディスクリプタ１２ａ，１２ｂ，…と対応するように予め設定されている。
【００２９】
また、定義パート８２には、壁紙等の基本的なＵＩ（ユーザインターフェース）についての要素データが属するディレクトリ，ファイル名等の定義（基本ＵＩ），Ｗｅｂブラウザ９１が用いる要素データが属するディレクトリ，ファイル名等の定義（ブラウザ用定義），メールクライアント９２が用いる要素データが属するディレクトリ，ファイル名等の定義（メーラー用定義）等が含まれている。具体的には、例えば＜ｂａｓｉｃ＞タグで囲まれた部分では基本的なＵＩについての情報が定義されており、＜ａｐｐｌｉｃａｔｉｏｎ＞タグで囲まれた部分ではアプリケーション毎の識別情報（例えば“ｂｒｏｗｓｅｒ”，“ｍｍｓ＿ｃｌｉｅｎｔ”等）に対応させて当該アプリケーションで用いられる要素データが定義されている。また、＜ｍｅｎｕ＞タグで囲まれた部分ではメニュー画面毎の識別情報（例えば“ｍａｉｎｍｅｎｕ”）に対応させて当該メニュー画面で用いられるボタン等の要素データが定義されている。各々の要素データの定義中では、例えばボタン等の要素データの識別情報（例えば“ｍａｉｎｍａｎｕ．ｂｕｔｔｏｎ．ｃａｍｅｒａ”，“ｍａｉｎｍａｎｕ．ｂｕｔｔｏｎ．ｇａｍｅｓ”）に対応させて各々の要素データのディレクトリ名・ファイル名（例えば“ｂｕｔｔｏｎ／ｃａｍｅｒａ．ｇｉｆ”，“ｂｕｔｔｏｎ／ｇａｍｅｓ．ｇｉｆ”等）が定義されている。書換制御部９６は、これらの定義パートの情報を解析して、後述のように、各要素データの展開先，書換方法等を選択するようになっている。
【００３０】
（動作概要）
ユーザは、携帯電話端末装置の表示を変更したい場合には、待受画面（Ｓ１）からＷｅｂブラウザ９１を起動し（Ｓ２）、ＨＴＴＰサーバ２０（Ｓｋｉｎ  ＤＬ［ダウンロード］サイト）のアドレスを選択してアーカイブファイル（Ｓｋｉｎ）のリストを要求する（Ｓ３）。この要求はＨＴＴＰリクエストとしてＨＴＴＰサーバ２０に供給され、ＨＴＴＰサーバ２０は、これに応じて、アーカイブファイルへのリンクを含むリストを携帯電話端末装置６０に送信する。
【００３１】
ユーザがアーカイブファイルのリストからダウンロードするアーカイブファイル（Ｓｋｉｎ）を選択すると（Ｓ４）、Ｗｅｂブラウザ９１は、ＨＴＴＰサーバ２０にユーザが選択したアーカイブファイルの送信を要求すると共に、ダウンロード中である旨のメッセージ（ＤＬ中メッセージ）を表示部６５に表示させる（Ｓ５）。
【００３２】
アーカイブファイルの送信が要求されると、ＨＴＴＰサーバ２０は要求されたアーカイブファイルに対応するダウンロードディスクリプタをＷｅｂブラウザ９１に供給する。
【００３３】
ダウンロードディスクリプタが供給されると、Ｗｅｂブラウザ９１は、ＤＬ確認画面を表示させて、ユーザにダウンロードの確認を行い（Ｓ６）、ダウンロードスクリプタをダウンロードエージェント９５ａに供給する。ユーザがダウンロードを指示すると、ＨＴＴＰサーバ２０にアーカイブファイルの送信を要求し、ダウンロード中である旨のメッセージ（ＤＬ中メッセージ）を表示させる（Ｓ７）。ユーザがダウンロードをキャンセルすると、Ｗｅｂブラウザ９１は再度アーカイブファイルのリストをＨＴＴＰサーバ２０に要求する（Ｓ３）。
【００３４】
アーカイブファイルのダウンロードが完了し、ダウンロードしたアーカイブファイルをアーカイブファイル格納領域６３ｂに格納すると、ダウンロードエージェント９５ａはＷｅｂブラウザ９１にその旨を通知し、Ｗｅｂブラウザ９１は、ユーザにダウンロードしたアーカイブファイル（Ｓｋｉｎ）を適用するか否かを確認する（Ｓ８）。
【００３５】
ユーザがアーカイブファイルの適用をキャンセルすると、Ｗｅｂブラウザ９１は再度アーカイブファイルのリストをＨＴＴＰサーバ２０に要求する（Ｓ３）。
【００３６】
一方、ユーザがダウンロードしたアーカイブファイルの適用を指示すると、Ｗｅｂブラウザ９１はアーカイブファイルの適用中である旨のメッセージ（Ｓｋｉｎ適用中メッセージ）を表示させると共に、書換制御部９６に指示してアーカイブファイル格納領域６３ｂに格納されているアーカイブファイル中の要素データを要素データ格納領域６３ａに展開させる。
【００３７】
個々の要素データを格納する要素データ格納領域６３ａ内の領域は、上述の図４に示す要素データ定義ファイル中の定義パート８２内の定義情報に応じて予め決めておき、書換制御部９６が展開した要素データを、対応する領域に格納する。展開が終了し、新Ｓｋｉｎの適用が完了すると、表示制御部９９が新たな要素データに応じた表示画像の画像データを生成し得るようになり、音声ＣＯＤＥＣ６６が新たな要素データに応じた着信音・着信メロディの音声データを生成し得るようになる（Ｓ１０）。
【００３８】
（ダウンロードディスクリプタ）
上述のダウンロードディスクリプタは、例えばＯＭＡ（Ｏｐｅｎ  Ｍｏｂｉｌｅ  Ａｌｌｉａｎｃｅ“ｈｔｔｐ：／／ｗｗｗ．ｏｐｅｎｍｏｂｉｌｅａｌｌｉａｎｃｅ．ｏｒｇ／”）によるＯＭＡ−Ｄｏｗｎｌｏａｄ−ＯＴＡ−ｖ１＿０“Ｇｅｎｅｒｉｃ  Ｃｏｎｔｅｎｔ  Ｄｏｗｎｌｏａｄ  Ｏｖｅｒ  Ｔｈｅ  Ａｉｒ”の仕様（以下、単にＯＭＡという。）に準拠しており、さらに独自の拡張を行っている。
【００３９】
独自の拡張部分は、例えば図６に示すように、アーカイブファイル（Ｓｋｉｎ）が対応している携帯電話端末装置６０の機種を示す情報（ｓｋｉｎ：ｍｏｄｅｌ），アーカイブファイルを適用するのに必要なメモリ容量（ｓｋｉｎ：ｆｕｌｌｓｉｚｅ），アーカイブファイルの適用期限（ｓｋｉｎ：ｅｘｐｉｒａｔｉｏｎ），アーカイブファイルのハッシュ値（ｓｋｉｎ：ｍｄ５），携帯電話端末装置６０に供給するアーカイブファイルが分割されている場合の結合後のファイル名（ｓｋｉｎ：ａｒｃｈｉｅｖｅ）及び２つ目以降のファイルについての情報（ｓｋｉｎ：ｄｉｖｉｓｉｏｎ）等の情報からなる。
【００４０】
＜ｓｋｉｎ：ｄｉｖｉｓｉｏｎ＞タグで囲まれた部分では、さらに、分割された２つ目以降のファイルのアドレス（ｓｋｉｎ：ｏｂｊｅｃｔＵＲＩ），当該アドレスで指定されるファイルの容量（ｓｋｉｎ：ｓｉｚｅ）及びハッシュ値（ｓｋｉｎ：ｍｄ５）を含んでいる。
【００４１】
また、ダウンロードディスクリプタは、具体的には、例えば図７に示すように、ＯＭＡに準拠した部分（ＯＭＡ準拠部分）と、独自拡張部分とから構成されている。独自拡張部分は、アーカイブファイルが分割されていない場合には、同図中の独自拡張部分Ａのみであるが、アーカイブファイルが分割されている場合には、同図中の独自拡張部分Ａ及び独自拡張部分Ｂで構成される。
【００４２】
このダウンロードディスクリプタに応じたダウンロード手順は、具体的には図８に示すように行われる。
【００４３】
Ｗｅｂブラウザ９１からアーカイブファイルに対応するダウンロードディスクリプタが要求されると（Ｓ１０１）、ＨＴＴＰサーバ２０は要求されたダウンロードディスクリプタをＤＢ１０から読み出してＷｅｂブラウザ９１に供給する（Ｓ１０２）。Ｗｅｂブラウザ９１は供給されたダウンロードディスクリプタをダウンロードエージェント９５ａに供給する（Ｓ１０３）。この図７に示す場合では、アーカイブファイルが３つに分割されている例を示しており、ダウンロードエージェント９５ａはダウンロードディスクリプタの解析を行った後、分割された最初のアーカイブファイル（ｋｉｐｐｙ．００１）をＨＴＴＰサーバ２０に要求する（Ｓ１０４）。
【００４４】
これに応じてＨＴＴＰサーバ２０から当該ファイルが供給されると（Ｓ１０５）、ダウンロードエージェント９５ａは、ダウンロードディスクリプタ中のハッシュ値（ｓｋｉｎ：ｍｄ５）によって当該ファイルの検証を行い、正しいファイルであれば順次、分割された次のファイルをＨＴＴＰサーバ２０から取得する（Ｓ１０６〜Ｓ１０９）。分割された最後のファイルが正しければダウンロードエージェント９５ａは分割されたファイルを結合してアーカイブファイルとし、アーカイブファイル格納領域６３ｂに格納して、Ｗｅｂブラウザ９１にダウンロードが終了した旨を通知する（Ｓ１１０）。
【００４５】
（アーカイブファイルの適用）
ところで、要素データ格納領域６３ａには、複数のアーカイブファイルを格納しておくことができるようになっている。
【００４６】
要素データ格納領域６３ａに格納されているアーカイブファイルを適用する際には、例えば図９に示すように、ユーザは、待受画面を表示している状態（Ｓ１１）からメニュー画面を選択する（Ｓ１２，Ｓ１３）。このメニュー画面（Ｓｋｉｎ設定メニュー）は、例えば図１０に示すように、要素データ格納領域６３ａに格納されているアーカイブファイル（Ｓｋｉｎ）のタイトルを並べた画像からなる。ユーザは操作入力部６４を操作して、表示されているアーカイブファイルのタイトルから好みのアーカイブファイルを示す表示を選択することができる。
【００４７】
ユーザが「デフォルト」に戻すを選択した場合には、書換制御部９６は予め設定されているデフォルト（省略時値）のアーカイブファイルを要素データ格納領域６３ａに展開する（Ｓ１５）。一方、ユーザが現在適用されているアーカイブファイルと異なるアーカイブファイルを選択した場合には、書換制御部９６は、表示部６５に要素データの適用中である旨のメッセージ（Ｓｋｉｎ適用中メッセージ）を表示させ（Ｓ１６）、選択されたアーカイブファイルを展開して、各要素データを各々対応するデバイス要素格納領域６３ａａ，ミドルウェア要素格納領域６３ａｂ，アプリケーション要素格納領域６３ａｃに展開させる。展開が終了し、選択されたＳｋｉｎ（別Ｓｋｉｎ）の適用が完了すると（Ｓ１７）、待受画面に移行する（Ｓ１８）。これにより、新たに選択されたアーカイブファイル（別Ｓｋｉｎ）の要素データに応じた画像データが表示制御部９９によって生成され、この画像データに応じた表示がなされるようになる。同様に、新たに選択されたアーカイブファイルの要素データに応じた着信音・着信メロディが音声ＣＯＤＥＣ６６によって生成されるようになる。
【００４８】
例えば図１１に示すように絵のアイコン画像を用いるメニュー画面（ｍａｉｎｍｅｎｕ）を含むアーカイブファイルが適用されている状態で、例えば漢字による表示のアーカイブファイル“丸ごと漢字”を適用すると、例えば図１２に示すように、漢字のアイコン画像等を用いるメニュー画面に変更される。
【００４９】
アイコン画像の画像データは、アプリケーション要素格納領域６３ａｃに格納されているが、デバイス要素格納領域６３ａａに格納されているバッテリ残量，電波強度表示等を表示する画像データ等も同様に、上述のアーカイブファイル“丸ごと漢字”の適用に従って変更される。
【００５０】
また、バッテリ残量表示等の要素データは、複数の表示形態を有するため、例えば図１３（Ａ）〜同図（Ｄ）に示す状態から、例えば図１４（Ａ）〜同図（Ｄ）に示すように書き換えられる。
【００５１】
（デバイス画像格納領域の書き換え）
ところで、デバイス要素格納領域６３ａａ，ミドルウェア要素格納領域６３ａｂ及びアプリケーション要素格納領域６３ａｃは、各々異なる階層の処理機能によって管理されている。
【００５２】
通常の携帯電話端末装置では、バッテリ表示画像データ７１，電波強度表示画像データ７２等のデータについては、ＲＯＭあるいはアクセス制限された領域等に格納されている。
【００５３】
この携帯電話端末装置６０では、上述の図７に示すダウンロードディスクリプタ中のハッシュ値等によって正当性を確認しつつ、アーカイブファイルを取得し、書換制御部９６が、要素データ定義ファイル中の定義パートの構造の正当性等を確認した上でデバイス要素格納領域６３ａａ内のバッテリ表示画像データ７１，電波強度表示画像データ７２等の要素データを変更するようにしている。
【００５４】
これにより、従来は出荷後に変更することができなかった、バッテリ残量，電波強度等の携帯電話端末装置としての基本的な機能表示に用いる要素データをも出荷後に変更することができ、携帯電話端末装置６０全体として統一感を持たせた表示の変更を容易に行うことができる。
【００５５】
（効果）
以上説明したように、この情報通信システムでは、書換制御部９６がアーカイブファイル）中の要素データを各々対応するメモリ６３上の領域（要素データ格納領域６３ａ）に展開することにより、表示画像を構成するアイコンの画像データ・音声表示の音声データ等の要素データを一括して容易に変更することができる。
【００５６】
これにより、ユーザがカスタマイズしたいと思う部分を、一回の操作で簡単にカスタマイズすることができ、ユーザの操作負担を低減させて操作性の向上に寄与することができる。また、携帯電話端末装置に対するデータセットの提供は、ネットワーク経由で行うことができるため、カスタマイズのための手間，コストの低減に寄与することができる。
【００５７】
（変形例）
また、上述の説明では、図１１に示すメニュー画面を、図１２に示すようにアイコンの配置及び大きさが同一のメニュー画面に変更する場合について説明したが、例えば上述の図４に示す要素定義ファイル中の定義パート８２において、アイコンのサイズ及び表示位置を定義しておき、書換制御部９６が定義パート８２中の定義に応じて位置情報保持部９９ｄの内容を変更し得るように構成しておけば、例えば図１１に示すメニュー画面を、例えば図１５に示すようにアイコン画像の大きさと配置が異なるメニュー画面に変更することもできるようになる。
【００５８】
【発明の効果】
本発明では、携帯電話端末装置において表示要素として用いる複数の要素データが符号化されて構成されたアーカイブファイルを、携帯電話端末装置からの要求に応じて供給し、携帯電話端末装置が受信したアーカイブファイルから各要素データを復元し、復元された要素データを保持する。携帯電話端末装置で新たな要素データを用いて表示を行うことにより、表示に用いる要素データを一括して変更することができ、ユーザの操作負担を低減させて操作性の向上に寄与することができる。
【図面の簡単な説明】
【図１】本発明の一実施形態に係る情報通信システムの構成例を示す図である。
【図２】前記情報通信システムを構成する携帯電話端末装置の要部の構成例を概念的に示す図である。
【図３】前記携帯電話端末装置に供給されるアーカイブファイル内のディレクトリ構造の例を示す図である。
【図４】前記アーカイブファイル内の要素データ定義ファイルの例を示す図である。
【図５】前記アーカイブファイルを取得する際の携帯電話端末装置側の処理の一例を示す図である。
【図６】前記情報通信システムにおいて提供されるアーカイブファイルに対応するダウンロードディスクリプタ中の情報の例を示す図である。
【図７】前記ダウンロードディスクリプタの一例を示す図である。
【図８】前記情報通信システムにおけるアーカイブファイルの提供処理の例を示す図である。
【図９】前記携帯電話端末装置におけるアーカイブファイルの切り換え処理の例を示す図である。
【図１０】前記携帯電話端末装置においてユーザにアーカイブファイルの選択を要求する際に表示する画像の例を示す図である。
【図１１】前記携帯電話端末装置におけるメニュー画面の一例を示す図である。
【図１２】前記メニュー画面の他の例を示す図である。
【図１３】前記携帯電話端末装置のメモリの保護領域内の電池残量を示す画像の一例を示す図である。
【図１４】前記電池残量を示す画像の他の例を示す図である。
【図１５】変更後のメニュー画像の例を示す図である。
【符号の説明】
１０…ＤＢ、１１ａ，１１ｂ…アーカイブファイル、１２ａ，１２ｂ…ダウンロードディスクリプタ、２０…ＨＴＴＰサーバ、６０…携帯電話端末装置、６３ａ…要素データ格納領域、６３ｂ…アーカイブファイル格納領域、９６…書換制御部、９９…表示制御部
【図１】
2005005901.tif 000003
【図２】
2005005901.tif 000004
【図３】
2005005901.tif 000005
【図４】
2005005901.tif 000006
【図５】
2005005901.tif 000007
【図６】
2005005901.tif 000008
【図７】
2005005901.tif 000009
【図８】
2005005901.tif 000010
【図９】
2005005901.tif 000011
【図１０】
2005005901.tif 000012
【図１１】
2005005901.tif 000013
【図１２】
2005005901.tif 000014
【図１３】
2005005901.tif 000015
【図１４】
2005005901.tif 000016
【図１５】
2005005901.tif 000017